(57)【要約】      （修正有）【課題】姿勢を矯正することができる姿勢矯正補助具を提供する。【解決手段】人体の左右の上腕部にそれぞれ装着可能な上腕サポート対１１０と、左右の上腕サポート対１１０に人体の背面側でそれぞれ結合され、第１胸椎近傍と両脇近傍とをそれぞれ結ぶ線上、及び、第１胸椎近傍と頚椎近傍とを結ぶ線上にライン状の背面用弾性部材１２１ａ、１２１ｂ、１２１ｃを備える背面サポート部１２０と、を有する姿勢矯正補助具１００である。【選択図】図１
0003217957.tif 000002
【実用新案登録請求の範囲】
【請求項１】
人体の左右の上腕部にそれぞれ装着可能な上腕サポート対と、
左右の前記上腕サポート対に人体の背面側でそれぞれ結合され、第１胸椎近傍と両脇近傍とをそれぞれ結ぶ線上、及び、第１胸椎近傍と頚椎近傍とを結ぶ線上にライン状の背面用弾性部材を備える背面サポート部と、
を有することを特徴とする姿勢矯正補助具。
【請求項２】
前記上腕サポート対が、上腕三頭筋の長手方向に沿うように配置されている上腕用弾性部材を備える請求項１に記載の姿勢矯正補助具。
【請求項３】
前記上腕用弾性部材の弾性力が、上腕三頭筋の外側筋から長頭に向かうにつれて強くなる請求項２に記載の姿勢矯正補助具。
【請求項４】
前記上腕サポート対がそれぞれ円筒状である請求項１から３のいずれかに記載の姿勢矯正補助具。
【請求項５】
前記背面サポート部が、肩パッド対を有する請求項１から４のいずれかに記載の姿勢矯正補助具。
【考案の詳細な説明】
【技術分野】
【０００１】
本考案は、姿勢矯正補助具に関する。
【背景技術】
【０００２】
近年、一般社会において健康に対する意識が高まってきており、特に日常生活における基本的所作である姿勢が健康に及ぼす影響について注目されている。
【０００３】
具体的には、姿勢が悪いと、肩こりや腰痛などの慢性痛疾患を発症する場合や、背骨への負担を増加させてしまうことから背骨の中を通る神経に影響が及ぶ場合がある。
このため、姿勢の改善について様々な試みがなされており、例えば、呼吸により呼吸筋群に対して働きかけを行うことにより姿勢の改善を行う方法などが検討されている。
【考案の概要】
【考案が解決しようとする課題】
【０００４】
本考案は、従来における前記諸問題を解決し、以下の目的を達成することを課題とする。即ち、本考案は、姿勢を矯正することができる姿勢矯正補助具を提供することを目的とする。
【課題を解決するための手段】
【０００５】
前記課題を解決するための手段としては、以下の通りである。即ち、
＜１＞  人体の左右の上腕部にそれぞれ装着可能な上腕サポート対と、左右の前記上腕サポート対に人体の背面側でそれぞれ結合され、第１胸椎近傍と両脇近傍とをそれぞれ結ぶ線上、及び、第１胸椎近傍と頚椎近傍とを結ぶ線上にライン状の背面用弾性部材を備える背面サポート部と、を有することを特徴とする姿勢矯正補助具である。
前記＜１＞に記載の姿勢矯正補助具が、人体の左右の上腕部にそれぞれ装着可能な上腕サポート対と、左右の前記上腕サポート対に人体の背面側でそれぞれ結合され、第１胸椎近傍と両脇近傍とをそれぞれ結ぶ線上、及び、第１胸椎近傍と頚椎近傍とを結ぶ線上にライン状の背面用弾性部材を備える背面サポート部と、を有することにより、本考案の姿勢矯正補助具を装着すると、姿勢が悪いと突出する第１胸椎を背面から前方に押し出す力が働き、第１肋骨、胸骨、鎖骨、肩甲骨、及び上腕骨などの位置が連動して変化するため、良い姿勢に矯正することができる。
なお、良い姿勢とは、頭の重心が身体の重心と一致している状態、即ち首の傾きが鉛直方向にある状態を意味する。また、第１胸椎は、胸椎１番、Ｔ１などと称されることがある。
【０００６】
＜２＞  前記上腕サポート対が、上腕三頭筋の長手方向に沿うように配置されている上腕用弾性部材を備える前記＜１＞に記載の姿勢矯正補助具である。
前記＜２＞に記載の姿勢矯正補助具において、上腕サポート対が、上腕三頭筋の長手方向に沿うように配置されている上腕用弾性部材を備えることにより、装着時に左右の上腕部が背面方向に引っ張られ、いわゆる両肩が開く状態になるため、より良い姿勢に矯正することができる。
【０００７】
＜３＞  前記上腕用弾性部材の弾性力が、上腕三頭筋の外側筋から長頭に向かうにつれて強くなる前記＜２＞に記載の姿勢矯正補助具である。
前記＜３＞に記載の姿勢矯正補助具において、上腕用弾性部材の弾性力が、上腕三頭筋の外側筋から長頭に向かうにつれて強くなることにより、脇が締まる方向に力が加わるため、良い姿勢に矯正することができる。
【０００８】
＜４＞  前記上腕サポート対がそれぞれ円筒状である前記＜１＞から＜３＞のいずれかに記載の姿勢矯正補助具である。
前記＜４＞に記載の姿勢矯正補助具において、上腕サポート対がそれぞれ円筒状であることにより、上腕サポート対に腕を通すだけで本考案の姿勢矯正補助具を容易に装着することができる。
【０００９】
＜５＞  前記背面サポート部が、肩パッド対を有する前記＜１＞から＜４＞のいずれかに記載の姿勢矯正補助具である。
前記＜５＞に記載の姿勢矯正補助具において、前記背面サポート部が肩パッド対を有することにより、姿勢矯正補助具を装着するときに肩パッド対を両肩の位置に合わせると、背面用弾性部材の弾性力による背面から前方に押し出す力が最も効率的に第１胸椎に働きやすくなる位置に合わせることができる。
【考案の効果】
【００１０】
本考案によると、従来における問題を解決することができ、姿勢を矯正することができる姿勢矯正補助具を提供することができる。
【図面の簡単な説明】
【００１１】
【図１】図１は、本考案の姿勢矯正補助具の一例を示す概略図である。
【図２】図２は、図１の姿勢矯正補助具を、別の角度から見たときの概略図である。
【考案を実施するための形態】
【００１２】
以下、本考案の一実施例を説明するが、本考案は、この実施例に何ら限定されるものではない。
【００１３】
（姿勢矯正補助具）
図１は、本考案の姿勢矯正補助具１００の一例を示す概略図である。図２は、図１の姿勢矯正補助具１００を、別の角度から見たときの概略図である。
姿勢矯正補助具１００としては、その形状、構造、大きさ、材質などについては、特に制限はなく、目的に応じて適宜選択することができる。
図１及び図２に示すように、姿勢矯正補助具１００は、上腕サポート対１１０と、背面サポート部１２０とを有する。
【００１４】
＜上腕サポート対＞
上腕サポート対１１０は、人体の左右の上腕部にそれぞれ装着可能であれば、その形状、構造、大きさ、材質などについては、特に制限はなく、目的に応じて適宜選択することができる。
【００１５】
上腕サポート対１１０の形状としては、特に制限はなく、目的に応じて適宜選択することができるが、それぞれ円筒状であることが好ましい。上腕サポート対１１０の形状が円筒状であると、上腕サポート対１１０に腕を通すだけで姿勢矯正補助具１００を容易に装着することができる。
【００１６】
上腕サポート対１１０の構造としては、特に制限はなく、目的に応じて適宜選択することができるが、上腕三頭筋の長手方向に沿うように配置されている上腕用弾性部材１１１を有することが好ましい。上腕サポート対１１０に上腕用弾性部材１１１が上腕三頭筋の長手方向に沿うように配置されていると、装着時に左右の上腕部が背面方向に引っ張られ、いわゆる両肩が開く状態になるため、より良い姿勢に矯正することができる。上腕用弾性部材１１１の詳細については後述する。
【００１７】
上腕サポート対１１０の材質、即ち上腕サポート対素地１１２のとしては、特に制限はなく、目的に応じて適宜選択することができ、例えば、植物繊維、動物繊維、再生繊維、半合成繊維、合成繊維などが挙げられ、直接肌に触れる場合が多いことからやわらかい素材が好ましく、装着を容易にするために伸縮性を有する素材がより好ましい。
【００１８】
＜＜上腕用弾性部材＞＞
上腕用弾性部材１１１の形状、構造、大きさ、材質などについては、特に制限はなく、目的に応じて適宜選択することができる。
【００１９】
上腕用弾性部材１１１の形状及び大きさとしては、特に制限はなく、目的に応じて適宜選択することができるが、上腕三頭筋の長手方向に沿った形状及び大きさが好ましい。
【００２０】
上腕用弾性部材１１１の構造としては、特に制限はなく、目的に応じて適宜選択することができるが、弾性力を得るために素地の編み方を変えてもよい。
【００２１】
上腕用弾性部材１１１の材質としては、特に制限はなく、目的に応じて適宜選択することができ、例えば、植物繊維、動物繊維、再生繊維、半合成繊維、合成繊維などが挙げられ、上腕サポート対１１０の素地の弾性力よりも強いことが好ましい。
【００２２】
上腕用弾性部材１１１の弾性力としては、上腕三頭筋の外側筋から長頭に向かうにつれて強くなることが好ましい。具体的には、図１で示すように、上腕用弾性部材１１１を、上腕用弾性部材１１１ａ、上腕用弾性部材１１１ｂ、及び上腕用弾性部材１１１ｃの３つに分け、それぞれの弾性力をＦ１、Ｆ２、Ｆ３とすると、次式、Ｆ１＞Ｆ２＞Ｆ３、を満たすようにしてもよい。これにより、脇が締まる方向に力が加わるため、より良い姿勢に矯正することができる。
【００２３】
上腕三頭筋の外側筋から長頭に向かうにつれて強くなる弾性力を得る方法としては、段階的に上腕用弾性部材１１１の材質や編み方を変化させて強くしてもよく、例えば、弾性力を３段階に変化させた、いわゆる圧力編みとして弾性力を得るようにしてもよい。
【００２４】
＜背面サポート部＞
背面サポート部１２０は、左右の上腕サポート対１１０に人体の背面側でそれぞれ結合されているとともに背面用弾性部材１２１（１２１ａ、１２１ｂ、１２１ｃ）を備えていれば、その形状、構造、大きさ、材質などについては、特に制限はなく、目的に応じて適宜選択することができる。
【００２５】
背面サポート部１２０の形状としては、特に制限はなく、目的に応じて適宜選択することができるが、装着時に第１胸椎の周辺を覆うような形状が好ましい。これにより、姿勢が悪い場合にこの周辺で最も突出する第１胸椎に、背面サポート部１２０が前方に押し出す力を働かせることができる。
【００２６】
背面サポート部１２０の構造としては、背面用弾性部材１２１を備えていれば特に制限はなく、目的に応じて適宜選択することができるが、肩パッド対１２２を有することが好ましい。なお、背面用弾性部材１２１及び肩パッド対１２２の詳細については後述する。
【００２７】
背面サポート部１２０の材質、即ち背面サポート部素地１２３としては、特に制限はなく、目的に応じて適宜選択することができ、例えば、植物繊維、動物繊維、再生繊維、半合成繊維、合成繊維などが挙げられ、直接肌に触れる場合が多いことからやわらかい素材が好ましく、装着を容易にするために伸縮性を有する素材がより好ましい。背面サポート部１２０の伸縮性により、背面側において左右の上腕サポート対１１０を近づける力を働かせることができるため、より良い姿勢に矯正することができる。
【００２８】
＜＜背面用弾性部材＞＞
背面用弾性部材１２１は、左右の上腕サポート対１１０に人体の背面側でそれぞれ結合されており、背面用弾性部材１２１を備えていれば、その形状、構造、大きさ、材質などについては、特に制限はなく、目的に応じて適宜選択することができる。
【００２９】
背面用弾性部材１２１の形状としては、特に制限はなく、目的に応じて適宜選択することができるが、ライン状が好ましい。ライン状の背面用弾性部材１２１を交差させた位置が弾性力を働かせたい位置にすることができる点で有利である。
【００３０】
背面用弾性部材１２１の構造としては、特に制限はなく、目的に応じて適宜選択することができるが、第１胸椎近傍と両脇近傍とをそれぞれ結ぶ線上、及び、第１胸椎近傍と頚椎近傍とを結ぶ線上に配置されていることが好ましい。具体的には、図１に示すように、各線が交差する点、即ち第１胸椎近傍の点をＰとすると、点Ｐと両脇近傍とをそれぞれ結ぶ線上に配置されている背面用弾性部材１２１ａ及び１２１ｂと、点Ｐと頚椎近傍とを結ぶ線上に配置されている背面用弾性部材１２１ｃとが、猫背の丸みや第１胸椎の突出などで伸びることにより弾性力Ｆ４、Ｆ５、Ｆ６による３つの力の合力が、突出した第１胸椎の近傍である点Ｐに背面から前方に向かう方向に働く。これにより、第１胸椎が背面から前方に押し出されることから、第１肋骨、胸骨、鎖骨、肩甲骨、及び上腕骨などの位置が連動して変化するため、良い姿勢に矯正することができる。
【００３１】
背面用弾性部材１２１の大きさとしては、特に制限はなく、目的に応じて適宜選択することができる。
背面用弾性部材１２１の材質としては、特に制限はなく、目的に応じて適宜選択することができ、例えば、植物繊維、動物繊維、再生繊維、半合成繊維、合成繊維などが挙げられる。
【００３２】
＜＜肩パッド対＞＞
肩パッド対１２２は、装着時に両肩に位置するところに配置されており、姿勢矯正補助具１００を装着するときに肩パッド対１２２を両肩の位置に合わせると、背面用弾性部材１２１の弾性力による背面から前方に押し出す力が最も効率的に第１胸椎に働きやすくなる位置に合わせられるように配置されている。また、背面用弾性部材１２１が、第１胸椎近傍と両脇近傍とをそれぞれ結ぶ線上、及び、第１胸椎近傍と頚椎近傍とを結ぶ線上にライン状に配置されていると、図１の位置に肩パッド対１２２が配置されても肩パッド対１２２に力が働きにくいため肩が動きやすくなる。
【００３３】
なお、姿勢矯正補助具１００は、更に必要に応じてその他の部材を有してもよい。
【００３４】
以上説明したように、本考案の姿勢矯正補助具は、人体の左右の上腕部にそれぞれ装着可能な上腕サポート対と、左右の前記上腕サポート対に人体の背面側でそれぞれ結合され、第１胸椎近傍と両脇近傍とをそれぞれ結ぶ線上、及び、第１胸椎近傍と頚椎近傍とを結ぶ線上にライン状の背面用弾性部材を備える背面サポート部と、を有する。これにより、本考案の姿勢矯正補助具を装着すると、姿勢が悪いと突出する第１胸椎を背面から前方に押し出す力が働き、第１肋骨、胸骨、鎖骨、肩甲骨、及び上腕骨などの位置が連動して変化するため、良い姿勢に矯正することができる。
【符号の説明】
【００３５】
１００    姿勢矯正補助具
１１０    上腕サポート対
１１１    上腕用弾性部材
１１２    上腕サポート対素地
１２０    背面サポート部
１２１ａ、１２１ｂ、１２１ｃ    背面用弾性部材
１２２    肩パッド対
１２３    背面サポート部素地
【図１】
0003217957.tif 000003
【図２】
0003217957.tif 000004